(57)【要約】  接続先機器への電力供給を良好に行い得るようにする。  複数の電気端子セットが配設されたレセプタクルを備える。電気端子セットは、電力用の第１の電気端子、検出用の第２の電気端子および接地用の第３の電気端子からなる。複数の電気端子セットの第２の電気端子から得られる信号に基づいてレセプタクルに接続されたインタフェースケーブルの構成を識別する。識別されたケーブル構成に応じて複数の電気端子セットの一部または全部の電気端子セットの第１の電気端子を通じて外部機器に電力を供給する。
2017187976.tif 000002
【特許請求の範囲】
【請求項１】
複数の電気端子セットが配設されたレセプタクルを備え、
上記電気端子セットは、電力用の第１の電気端子、検出用の第２の電気端子および接地用の第３の電気端子からなり、
上記複数の電気端子セットの上記第２の電気端子から得られる信号に基づいて上記レセプタクルに接続されたインタフェースケーブルの構成を識別するケーブル識別部と、
上記識別されたケーブル構成に応じて上記複数の電気端子セットの一部または全部の電気端子セットの上記第１の電気端子を通じて外部機器に電力を供給する電力供給部をさらに備える
電子機器。
【請求項２】
上記レセプタクルには、所定形状の開口面を持つ開口部の対向する２つの面に、それぞれ、上記電気端子セットが、第１から第３の電気端子の並びが点対称となるように配設されている
請求項１に記載の電子機器。
【請求項３】
上記レセプタクルには、外部機器との通信用のコネクト部がさらに配設されており、
上記コネクト部を通じて上記外部機器から受信された必要電力情報と、上記識別されたケーブル構成に基づいて、供給電力を決定する給電量決定部をさらに備え、
上記電力供給部は、上記決定された供給電力を、上記外部機器に供給する
請求項１に記載の電子機器。
【請求項４】
複数の電気端子セットが配設されたレセプタクルを備える電子機器の電力供給方法であって、
上記電気端子セットは、電力用の第１の電気端子、検出用の第２の電気端子および接地用の第３の電気端子からなり、
上記複数の電気端子セットの上記第２の電気端子から得られる信号に基づいて上記レセプタクルに接続されたインタフェースケーブルの構成を識別し、
上記識別されたケーブル構成に応じて上記複数の電気端子セットの一部または全部の電気端子セットの上記第１の電気端子を通じて外部機器に電力を供給する
電子機器の電力供給方法。
【請求項５】
複数の電気端子セットが配設されたレセプタクルを備え、
上記電気端子セットは、電力用の第１の電気端子、検出用の第２の電気端子および接地用の第３の電気端子からなり、
上記複数の電気端子セットの上記第１の電気端子に電流を出力する電流出力部と、
上記複数の電気端子セットの一部または全部の電気端子セットの上記第２の電気端子に上記レセプタクルに接続されたインタフェースケーブルを通じて外部機器から供給される電力を受け取る電力受給部をさらに備える
電子機器。
【請求項６】
上記レセプタクルには、所定形状の開口面を持つ開口部の対向する２つの面に、それぞれ、上記電気端子セットが、第１から第３の電気端子の並びが点対称となるように配設されている
請求項５に記載の電子機器。
【請求項７】
上記レセプタクルには、外部機器との通信用のコネクト部がさらに配設されており、
上記コネクト部を通じて上記外部機器に必要電力情報を送信する通信部をさらに備える
請求項５に記載の電子機器。
【請求項８】
上記電力受給部で受け取った電力を蓄えるバッテリと、
上記バッテリの充電量に基づいて必要電力を決定する受電量決定部をさらに備え、
上記通信部は、上記決定された必要電力の情報を上部外部機器に送信する
請求項７に記載の電子機器。
【請求項９】
複数の電気端子セットが配設されたレセプタクルを備える電子機器の電力受給方法であって、
上記電気端子セットは、電力用の第１の電気端子、検出用の第２の電気端子および接地用の第３の電気端子からなり、
上記複数の電気端子セットの上記第２の電気端子に電流を出力し、
上記複数の電気端子セットの一部または全部の電気端子セットの上記第１の電気端子に上記レセプタクルに接続されたインタフェースケーブルを通じて外部機器から供給される電力を受け取る
電子機器の電力受給方法。
【請求項１０】
一つまたは複数の電気端子セットが配設されたプラグを備え、
上記電気端子セットは、第１から第３の３つの電気端子からなる
インタフェースケーブル。
【請求項１１】
上記プラグには、電子機器のレセプタクルの所定形状の開口面を持つ開口部に挿入される対応した形状の挿入面を持つ挿入部の、上記開口部の一つの面に対応した面に上記電気端子セットが配設されている
請求項１０に記載のインタフェースケーブル。
【請求項１２】
上記プラグには、電子機器のレセプタクルの所定形状の開口面を持つ開口部に挿入される対応した形状の挿入面を持つ挿入部の、上記開口部の対向する２つの面に対応した２つの面に、それぞれ、上記電気端子セットが配設されている
請求項１０に記載のインタフェースケーブル。
【発明の詳細な説明】
【技術分野】
【０００１】
本技術は、電子機器、電子機器の電力供給方法、電子機器の電力受給方法およびインタフェースケーブルに関し、特に外部機器に電力を供給し得る電子機器などに関する。
【背景技術】
【０００２】
インタフェースケーブルで接続された機器間の電力供給においては、インタフェースケーブルで想定されている電流より大きな電流を流すと想定以上に電圧降下が起こり、接続先機器に十分な電力供給ができなくなることや、インタフェースケーブルの発熱が大きくなる、といった問題がある。【０００３】
このような問題を回避するため、インタフェースケーブルが流すことのできる電流値を接続された機器が識別可能な仕組みが用いられる。例えば“USB Power Delivery”の「Electronic Markers」のように、プラグ内に識別情報を持つ仕組みが知られている。接続先機器へ大きな電力を供給するのは、大きな電流に対応したケーブルが接続されている場合であり、そうでない場合は小さな電力を接続先機器へ供給するといった制御が可能となる。【０００４】
インタフェースケーブル識別の仕組みはプラグに回路やチップを埋め込むことで実現するのが一般的であるが、プラグが大きくなる、インタフェースケーブルのコストが上がる、といった問題点がある。例えば、特許文献１には、プラグの中に、抵抗やダイオードを組み込むことでインタフェースケーブルが有する心線固有の情報識別を行う技術が記載されている。
【先行技術文献】
【特許文献】
【０００５】
【特許文献１】特開平６−２２３９２２号公報
【発明の概要】
【発明が解決しようとする課題】
【０００６】
本技術の目的は、接続先機器への電力供給を良好に行い得るようにすることにある。
【課題を解決するための手段】
【０００７】
本技術の概念は、
複数の電気端子セットが配設されたレセプタクルを備え、
上記電気端子セットは、電力用の第１の電気端子、検出用の第２の電気端子および接地用の第３の電気端子からなり、
上記複数の電気端子セットの上記第２の電気端子から得られる信号に基づいて上記レセプタクルに接続されたインタフェースケーブルの構成を識別するケーブル識別部と、
上記識別されたケーブル構成に応じて上記複数の電気端子セットの一部または全部の電気端子セットの上記第１の電気端子を通じて外部機器に電力を供給する電力供給部をさらに備える
電子機器にある。【０００８】
本技術において、電子機器は、複数の電気端子セットが配設されたレセプタクルを備えている。ここで、電気端子セットは、電力用の第１の電気端子、検出用の第２の電気端子および接地用の第３の電気端子からなっている。ケーブル識別部により、複数の電気端子セットの第２の電気端子から得られる信号に基づいてレセプタクルに接続されたインタフェースケーブルの構成が識別される。電力供給部により、識別されたケーブル構成に応じて、複数の電気端子セットの一部または全部の電気端子セットの第１の電気端子を通じて外部機器に電力が供給される。【０００９】
このように本技術においては、複数の電気端子セットの第２の電気端子から得られる信号に基づいてレセプタクルに接続されたインタフェースケーブルの構成を識別し、その識別結果に応じて複数の電気端子セットの一部または全部の電気端子セットの第１の電気端子を通じて外部機器に電力を供給するものである。そのため、接続先機器としての外部機器への電力供給をインタフェースケーブルの構成に応じて良好に行い得る。【００１０】
なお、本技術において、例えば、レセプタクルには、所定形状の開口面を持つ開口部の対向する２つの面に、それぞれ、電気端子セットが、第１から第３の電気端子の並びが点対称となるように配設されている、ようにされてもよい。このように第１から第３の電気端子の並びが点対称とされることで、一つの電気端子セットが配設されたプラグを備えるインタフェースケーブルのリバーシブル接続が可能となる。【００１１】
また、本技術において、例えば、レセプタクルには、外部機器との通信用のコネクト部がさらに配設されており、このコネクト部を通じて外部機器から受信された必要電力情報と、識別されたケーブル構成に基づいて、供給電力を決定する給電量決定部をさらに備え、電力供給部は、決定された供給電力を、外部機器に供給する、ようにされてもよい。これにより、接続先機器としての外部機器への電力供給を適切に行うことが可能となる。【００１２】
また、本技術の他の概念は、
複数の電気端子セットが配設されたレセプタクルを備え、
上記電気端子セットは、電力用の第１の電気端子、検出用の第２の電気端子および接地用の第３の電気端子からなり、
上記複数の電気端子セットの上記第１の電気端子に電流を出力する電流出力部と、
上記複数の電気端子セットの一部または全部の電気端子セットの上記第２の電気端子に上記レセプタクルに接続されたケーブルを通じて外部機器から供給される電力を受け取る電力受給部をさらに備える
電子機器にある。【００１３】
本技術において、電子機器は、複数の電気端子セットが配設されたレセプタクルを備えている。ここで、電気端子セットは、電力用の第１の電気端子、検出用の第２の電気端子および接地用の第３の電気端子からなっている。電流出力部により、複数の電気端子セットの第２の電気端子に電流が出力される。電力受給部により、複数の電気端子セットの一部または全部の電気端子セットの第１の電気端子にレセプタクルに接続されたインタフェースケーブルを通じて外部機器から供給される電力が受け取られる。【００１４】
このように本技術においては、複数の電気端子セットの第２の電気端子に電流を供給するものである。そのため、接続先機器としての外部機器では、インタフェースケーブルの構成識別が容易に可能となり、インタフェースケーブルを通じての電力受給を良好に行い得るようになる。【００１５】
なお、本技術において、例えば、レセプタクルには、所定形状の開口面を持つ開口部の対向する２つの面に、それぞれ、電気端子セットが、第１から第３の電気端子の並びが点対称となるように配設されている、ようにされてもよい。このように第１から第３の電気端子の並びが点対称とされることで、インタフェースケーブルのプラグを上下反転させて接続する、いわゆるリバーシブル接続が可能となる。【００１６】
また、本技術において、例えば、レセプタクルには、外部機器との通信用のコネクト部がさらに配設されており、このコネクト部を通じて外部機器に必要電力情報を送信する通信部をさらに備える、ようにされてもよい。この場合、例えば、電力受給部で受け取った電力を蓄えるバッテリと、このバッテリの充電量に基づいて必要電力を決定する受電量決定部をさらに備え、通信部は、決定された必要電力の情報を外部機器に送信する、ようにされてもよい。このように外部機器に必要電力情報を送信することで、接続先の外部機器では、供給電力を適切に決定することが可能となり、インタフェースケーブルを通じての電力受給を良好に行い得るようになる。【００１７】
また、本技術の他の概念は、
一つまたは複数の電気端子セットが配設されたプラグを備え、
上記電気端子セットは、第１から第３の３つの電気端子からなる
インタフェースケーブルにある。【００１８】
本技術において、インタフェースケーブルは、一つまたは複数の電気端子セットが配設されたプラグを備えている。ここで、電気端子セットは、電力用の第１の電気端子、検出用の第２の電気端子および接地用の第３の電気端子からなっている。【００１９】
例えば、プラグには、電子機器のレセプタクルの所定形状の開口面を持つ開口部に挿入される対応した形状の挿入面を持つ挿入部の、上記開口部の一つの面に対応した面に電気端子セットが配設されている、ようにされてもよい。また、例えば、プラグには、電子機器のレセプタクルの所定形状の開口面を持つ開口部に挿入される対応した形状の挿入面を持つ挿入部の、上記開口部の対向する２つの面に対応した２つの面に、それぞれ、電気端子セットが配設されている、ようにされてもよい。【００２０】
このように本技術においては、プラグに一つまたは複数の電気端子セットが配設され、各電気端子セットが第１から第３の電気端子からなるものである。そのため、インタフェースケーブルの構成を容易に識別可能となる。
【発明の効果】
【００２１】
本技術によれば、接続先機器への電力供給を良好に行い得る。本明細書に記載された効果はあくまで例示であって限定されるものではなく、また付加的な効果があってもよい。
【図面の簡単な説明】
【００２２】
【図１】実施の形態としてのＡＶ伝送システムの構成を示すブロック図である。
【図２】電子機器のレセプタクルの構造の一例を概略的に示す図である。
【図３】インタフェースケーブル（“構成１”）のプラグの構造の一例を概略的に示す図である。
【図４】インタフェースケーブル（“構成１”）の両端のプラグの電気端子セットの接続を説明するための図である。
【図５】インタフェースケーブル（“構成２”）のプラグの構造の一例を概略的に示す図である。
【図６】インタフェースケーブル（“構成２”）の両端のプラグの電気端子セットの接続を説明するための図である。
【図７】電子機器（給電側）の構成例を示すブロック図である。
【図８】電子機器（受電側）の構成例を示すブロック図である。
【図９】給電側の電子機器と受電側の電子機器を“構成１”のインタフェースケーブルで接続した状態を示す図である。
【図１０】２つの電子機器を“構成２”のインタフェースケーブルで接続した状態を示す図である。
【図１１】ＣＰＵにおける給電処理の手順の一例を示すフローチャートである。
【図１２】ＣＰＵにおける供給電力決定処理の手順の一例を示すフローチャートである。
【図１３】電子機器（給電側）の具体例としてのディスクプレーヤの構成例を示すブロック図である。
【図１４】電子機器（受電側）の具体例としてのポータブル画像表示装置の構成例を示すブロック図である。
【発明を実施するための形態】
【００２３】
以下、発明を実施するための形態（以下、「実施の形態」とする）について説明する。なお、説明は以下の順序で行う。
１．実施の形態
２．変形例
【００２４】
＜１．実施の形態＞
［ＡＶ伝送システムの構成］
図１は、実施の形態としてのＡＶ（Audio and Visual）伝送システム１０の構成を示している。このＡＶ伝送システム１０は、送信側の電子機器１００Ａと、受信側の電子機器１００Ｂと、これらの電子機器を接続するインタフェースケーブル２００とからなっている。インタフェースケーブル２００の一端側のプラグ２０１は電子機器１００Ａのレセプタクル１０１に接続され、インタフェースケーブル２００の他端側のプラグ２０１は電子機器１００Ｂのレセプタクル１０１に接続されている。
【００２５】
電子機器１００Ａから電子機器１００Ｂに、インタフェースケーブル２００を介して、ビデオデータ、オーディオデータなどのメディアデータの送信が可能とされている。また、電子機器１００Ａと電子機器１００Ｂの間では、インタフェースケーブル２００を介して、種々の情報の通信が可能とされている。また、電子機器１００Ａと電子機器１００Ｂの間では、一方から他方に、この実施の形態では、電子機器１００Ａから電子機器１００Ｂに、インタフェースケーブル２００を介して、電力を供給することが可能とされている。
【００２６】
図２は、電子機器１００Ａ，１００Ｂのレセプタクル１０１の構造の一例を概略的に示している。レセプタクル１０１には、プラグ２０１の挿入部を挿入するための所定形状、この実施の形態では矩形状の開口面を持つ開口部１１１が設けられている。この開口部１１１の対向する２つの面、図示の例では上面と下面に、それぞれ電気端子セット１１２，１１３が配設されている。なお、所定形状としては、矩形状の他に、楕円形状、あるいは角丸長方形状など種々考えられる。
【００２７】
電気端子セット１１２，１１３は、それぞれ、電力用の第１の電気端子１１４ａと、検出用の第２の電気端子１１４ｂと、接地用の第３の電気端子１１４ｃからなっている。ここで、開口部１１１の上面、下面に配設された電気端子セット１１２，１１３において、第１から第３の電気端子の並びは点対称とされている。このように第１から第３の電気端子の並びが点対称とされることで、インタフェースケーブル２００のプラグを上下反転させて接続する、いわゆるリバーシブル接続が可能となる。
【００２８】
開口部１１１の底面側に、通信用のコネクト部１１５が配設されている。このコネクト部１１５は、インタフェースケーブル２００のプラグ２０１に配設されている通信用のコネクト部に、光学的に、あるいは電気的に接続される。光学的に接続される場合、インタフェースケーブル２００の通信路は、例えば光ファイバ等で光通信路として構成される。一方、電気的に接続される場合、インタフェースケーブル２００の通信路は、例えば同軸線路等で電気通信路として構成される。
【００２９】
図３は、インタフェースケーブル２００のプラグ２０１の構造の一例を概略的に示している。この構造例は、プラグ２０１に、一つの電気端子セットが配設された“構成１”の例である。プラグ２０１には、電子機器１００Ａ，１００Ｂのレセプタクル１０１の開口部１１１に挿入される対応した形状、この実施の形態では矩形状の挿入面を持つ挿入部２１１が設けられている。挿入部２１１の、開口部１１１の一つの面に対応した面に、電気端子セット２１２が配設されている。
【００３０】
電気端子セット２１２は、第１、第２、第３の３つの電気端子２１３からなっている。ここで、第１の電気端子２１３はレセプタクル１０１の電気端子１１４ａに接続するための電気端子であり、第２の電気端子２１３はレセプタクル１０１の電気端子１１４ｂに接続するための電気端子であり、第３の電気端子２１３はレセプタクル１０１の電気端子１１４ｃに接続するための電気端子である。
【００３１】
また、挿入部２１１の、開口部１１１の底面に対応した面側に、通信用のコネクト部２１４が配設されている。このコネクト部２１４は、電子機器１００Ａ，１００Ｂのレセプタクル１０１に配設されている通信用のコネクト部１１５に、光学的に、あるいは電気的に接続される。光学的に接続される場合、インタフェースケーブル２００の通信路は、例えば光ファイバ等で光通信路として構成される。一方、電気的に接続される場合、インタフェースケーブル２００の通信路は、例えば同軸線路等で電気通信路として構成される。
【００３２】
図３の構造例において、インタフェースケーブル２００の一端のプラグ２０１の電気端子セット２１２の３つの電気端子２１３と、その他端のプラグ２０１の電気端子セット２１２の３つの電気端子２１３は、図４に示すように、ケーブル内に敷設された３本のメタルワイヤ２１５により電気的に接続されている。
【００３３】
図５は、インタフェースケーブル２００のプラグ２０１の構造の他の一例を概略的に示している。この構造例は、プラグ２０１に、二つの電気端子セットが配設された“構成２”の例である。プラグ２０１には、電子機器１００Ａ，１００Ｂのレセプタクル１０１の開口部１１１に挿入される矩形状の挿入部２１１が設けられている。挿入部２１１の、開口部１１１の対向する２つの面に対応した２つの面に電気端子セット２１２，２１６が配設されている。
【００３４】
電気端子セット２１２，２１６は、それぞれ、第１、第２、第３の３つの電気端子２１３からなっている。ここで、第１の電気端子２１３はレセプタクル１０１の電気端子１１４ａに接続するための電気端子であり、第２の電気端子２１３はレセプタクル１０１の電気端子１１４ｂに接続するための電気端子であり、第３の電気端子２１３はレセプタクル１０１の電気端子１１４ｃに接続するための電気端子である。
【００３５】
また、挿入部２１１の、開口部１１１の底面に対応した面側に、通信用のコネクト部２１４が配設されている。このコネクト部２１４は、電子機器１００Ａ，１００Ｂのレセプタクル１０１に配設されている通信用のコネクト部１１５に、光学的に、あるいは電気的に接続される。光学的に接続される場合、インタフェースケーブル２００の通信路は、例えば光ファイバ等で光通信路として構成される。一方、電気的に接続される場合、インタフェースケーブル２００の通信路は、例えば同軸線路等で電気通信路として構成される。
【００３６】
図５の構造例において、インタフェースケーブル２００の一端のプラグ２０１の電気端子セット２１２，２１６の３つの電気端子２１３と、その他端のプラグ２０１の電気端子セット２１２，２１６の３つの電気端子２１３は、図６に示すように、ケーブル内に敷設された６本のメタルワイヤ２１５により電気的に接続されている。
【００３７】
図７は、電子機器１００Ａの構成例を示している。電子機器１００Ａは、レセプタクル１０１の他に、ＣＰＵ１２１と、通信部１２２と、電源部１２３と、電力供給部１２４と、ケーブル識別部１２５を有している。ＣＰＵ１２１は、制御部を構成し、制御プログラムに基づいて、電子機器１００Ａの各部の動作を制御する。
【００３８】
通信部１２２は、コネクト部１１５を通じて、接続先機器（外部機器）としての電子機器１００Ｂと通信をする。この場合、電子機器１００Ｂに、ビデオデータ、オーディオデータなどのメディアデータを送信する。また、電子機器１００Ｂとの間で種々の情報の通信をする。この場合、ＣＰＵ１２１から発生される情報を電子機器１００Ｂに送信し、また、電子機器１００Ｂから受信される情報をＣＰＵ１２１に供給する。この電子機器１００Ｂから受信される情報には、給電要求情報や必要電力情報なども含まれる。
【００３９】
ケーブル識別部１２５は、レセプタクル１０１に配設されている電気端子セット１１２，１１３の第２の電気端子１１４ｂから得られる信号に基づいて、レセプタクル１０１にインタフェースケーブル２００が接続されているか否か、さらに、接続されている場合には、そのインタフェースケーブル２００の構成を識別し、その結果をＣＰＵ１２１に送る。
【００４０】
この場合、レセプタクル１０１にインタフェースケーブル２００が接続されていないときは、電気端子セット１１２の電気端子１１４ｂと電気端子セット１１３の電気端子１１４ｂのいずれからも電流は検出されないので、インタフェースケーブル２００が接続されていないとの識別が可能となる。
【００４１】
また、この場合、レセプタクル１０１に“構成１（図３参照）”のインタフェースケーブル２００が接続されているときは、電気端子セット１１２の電気端子１１４ｂまたは電気端子セット１１３の電気端子１１４ｂから電流が検出されるので、“構成１”のインタフェースケーブル２００が接続されているとの識別、さらには、電気端子セット１１２および電気端子セット１１３のいずれの電気端子１１４ａに電力を供給すべきかの識別が可能となる。
【００４２】
また、この場合、レセプタクル１０１に“構成２（図５参照）”のインタフェースケーブル２００が接続されているときは、電気端子セット１１２の電気端子１１４ｂと電気端子セット１１３の電気端子１１４ｂの双方から電流が検出されるので、“構成２”のインタフェースケーブル２００が接続されており、電気端子セット１１２および電気端子セット１１３の双方の電気端子１１４ａから電力を供給し得るとの識別が可能となる。
【００４３】
電源部１２３は、例えばＡＣ電源であり、電子機器１００Ａの各部に電源を供給する。電力供給部１２４は、ＣＰＵ１２１の制御のもと、電気端子セット１１２の電気端子１１４ａおよび電気端子セット１１３の電気端子１１４ａのいずれかまたは双方に、所定の電圧・電流を加え、電子機器１００Ｂに電力を供給する。
【００４４】
ここで、ＣＰＵ１２１は、電子機器１００Ｂから給電要求があったとき、電子機器１００Ｂに電力を供給する。また、ＣＰＵ１２１は、レセプタクル１０１に接続されているインタフェースケーブル２００の構成および電子機器１００Ｂから送られてくる必要電力情報に基づいて供給電力を決定し、その電力が電子機器１００Ｂに供給されるように電力供給部１２４を制御する。この意味で、ＣＰＵ１２１は、給電量決定部を構成している。なお、ＣＰＵ１２１における給電処理の詳細についてはさらに後述する。
【００４５】
図８は、電子機器１００Ｂの構成例を示している。電子機器１００Ｂは、レセプタクル１０１の他に、ＣＰＵ１３１と、通信部１３２と、バッテリ１３３と、電力受給部１３４と、電流出力部１３５を有している。ＣＰＵ１３１は、制御部を構成し、制御プログラムに基づいて、電子機器１００Ｂの各部の動作を制御する。
【００４６】
通信部１３２は、コネクト部１１５を通じて、接続先機器（外部機器）としての電子機器１００Ａと通信をする。この場合、電子機器１００Ａから、ビデオデータ、オーディオデータなどのメディアデータを受信する。また、電子機器１００Ａとの間で種々の情報の通信をする。この場合、ＣＰＵ１３１から発生される情報を電子機器１００Ａに送信し、また、電子機器１００Ａから受信される情報をＣＰＵ１３１に供給する。この電子機器１００Ａに送信する情報には、給電要求情報や必要電力情報なども含まれる。
【００４７】
電流出力部１３５は、レセプタクル１０１に配設されている電気端子セット１１２，１１３の第２の電気端子１１４aに電流を出力する。これにより、上述したように、電子機器１００Ａのケーブル識別部１２５において、レセプタクル１０１にインタフェースケーブル２００が接続されているか否か、さらに、接続されている場合には、そのインタフェースケーブル２００の構成の識別が可能となる。
【００４８】
バッテリ１３３は、電子機器１００Ｂの各部に電源を供給する。ＣＰＵ１３１は、このバッテリ１３３の充電量をチェックし、充電不足で受電が必要と判断するときは、必要電力、つまり電子機器１００Ａから供給して貰うべき電力を決定し、給電要求情報や必要電力情報を通信部１３２から電子機器１００Ａに送信する。この意味で、ＣＰＵ１３１は、受電量決定部を構成している。
【００４９】
電力受給部１３４は、電気端子セット１１２の電気端子１１４ｂおよび電気端子セット１１３の電気端子１１４ｂのいずれかまたは双方に得られる電流・電圧、つまり電力を取り込み、バッテリ１３３を充電する。ＣＰＵ１３１は、バッテリ１３３が十分に充電されたとき、あるいは図示しない外付け電源に接続されたときなど、給電不要情報を通信部１３２から電子機器１００Ａに送信する。
【００５０】
図９は、電子機器１００Ａと電子機器１００Ｂを“構成１（図３参照）”のインタフェースケーブル２００で接続した状態を示している。図示の例では、電子機器１００Ａの電気端子セット１１２が電子機器１００Ｂの電気端子セット１１２に接続されているが、プラグ２０１のレセプタクル１０１への挿入の仕方によっては、電子機器１００Ａの電気端子セット１１２が電子機器１００Ｂの電気端子セット１１３に接続される場合、電子機器１００Ａの電気端子セット１１３が電子機器１００Ｂの電気端子セット１１２に接続される場合、電子機器１００Ａの電気端子セット１１３が電子機器１００Ｂの電気端子セット１１３に接続される場合なども考えられる。
【００５１】
図１０は、電子機器１００Ａと電子機器１００Ｂを“構成２（図５参照）”のインタフェースケーブル２００で接続した状態を示している。図示の例では、電子機器１００Ａの電気端子セット１１２，１１３が電子機器１００Ｂの電気端子セット１１２，１１３に接続されているが、プラグ２０１のレセプタクル１０１への挿入の仕方によっては、電子機器１００Ａの電気端子セット１１２，１１３が電子機器１００Ｂの電気端子セット１１３，１１２に接続される場合も考えられる。図１０の状態では、図９の状態と比較して、電子機器１００Ａから電子機器１００Ｂに２倍の電力を供給することが可能となる。
【００５２】
「ＣＰＵにおける給電処理」
電子機器１００ＡのＣＰＵ１２１（図７参照）における給電処理の詳細について説明する。
【００５３】
図１１のフローチャートは、ＣＰＵ１２１における給電処理の手順の一例を示している。ＣＰＵ１２１は、ステップＳＴ１において、給電処理を開始する。その後、ＣＰＵ１２１は、ステップＳＴ２において、接続先機器（外部機器）である電子機器１００Ｂが給電を必要としているか判断する。例えば、ＣＰＵ１２１は、通信部１２３が電子機器１００Ｂから給電要求情報を受信したとき、電子機器１００Ｂが給電を必要としていると判断する。
【００５４】
ステップＳＴ２で電子機器１００Ｂが給電を必要としていると判断するとき、ＣＰＵ１２１は、ステップＳＴ３の処理に移る。ＣＰＵ１２１は、ステップＳＴ３において、接続先機器（外部機器）である電子機器１００Ｂが必要としている電力の情報を取得する。この場合、ＣＰＵ１２１は、通信部１２２を通じて、電子機器１００Ｂから必要電力情報を取得する。
【００５５】
次に、ＣＰＵ１２１は、ステップＳＴ４において、接続されているインタフェースケーブル２００の構成を識別する。この場合、ＣＰＵ１２は、ケーブル識別部１２５の識別結果に基づいて、接続されているインタフェースケーブル２００の構成が、“構成１（図３参照）”であるか、あるいは“構成２（図５参照）”であるかを識別する。
【００５６】
次に、ＣＰＵ１２１は、ステップＳＴ５において、接続先機器（外部機器）である電子機器１００Ｂに必要な電力とインタフェースケーブル２００の構成から供給電力を決定する。
【００５７】
図１２のフローチャートは、ＣＰＵ１２１における供給電力決定処理の手順の一例を示している。ＣＰＵ１２１は、ステップＳＴ１１において、供給電力決定処理を開始する。その後、ＣＰＵ１２１は、ステップＳＴ１２において、接続先機器（外部機器）である電子機器１００Ｂの必要電力がインタフェースケーブル２００の供給可能最大電力以下か否かを判断する。なお、ＣＰＵ１２１は、“構成１”のインタフェースケーブル２００の供給可能最大電力と“構成２”のインタフェースケーブル２００の供給可能最大電力のそれぞれを予め把握しているものとする。
【００５８】
電子機器１００Ｂの必要電力がインタフェースケーブル２００の供給可能最大電力以下と判断するとき、ＣＰＵ１２１は、ステップＳＴ１３において、給電側機器である電子機器１００Ａが電子機器１００Ｂの必要電力を供給する能力を有しているか否かを判断する。供給する能力を有していると判断するとき、ＣＰＵ１２１は、ステップＳＴ１４において、供給電力を、接続先機器（外部機器）である電子機器１００Ｂの必要電力に決定する。その後、ＣＰＵ１２１は、ステップＳＴ１５において、供給電力決定処理を終了する。
【００５９】
また、ステップＳＴ１３で給電側機器である電子機器１００Ａが電子機器１００Ｂの必要電力を供給する能力を有していないと判断するとき、ＣＰＵ１２１は、ステップＳＴ１６において、供給電力を、給電側機器である電子機器１００Ａの最大供給電力に決定する。その後、ＣＰＵ１２１は、ステップＳＴ１５において、供給電力決定処理を終了する。
【００６０】
また、ステップＳＴ１２で電子機器１００Ｂの必要電力がインタフェースケーブル２００の供給可能最大電力以下でないと判断するとき、ＣＰＵ１２１は、ステップＳＴ１７の処理に移る。このステップＳＴ１７において、ＣＰＵ１２１は、給電側機器である電子機器１００Ａがインタフェースケーブル２００の供給可能最大電力を供給する能力を有しているか否かを判断する。
【００６１】
供給する能力を有していないと判断するとき、ＣＰＵ１２１は、ステップＳＴ１６において、供給電力を、給電側機器である電子機器１００Ａの最大供給電力に決定する。その後、ＣＰＵ１２１は、ステップＳＴ１５において、供給電力決定処理を終了する。一方、供給する能力を有していると判断するとき、ＣＰＵ１２１は、ステップＳＴ１８において、供給電力を、インタフェースケーブル２００の供給可能最大電力に決定する。その後、ＣＰＵ１２１は、ステップＳＴ１５において、供給電力決定処理を終了する。
【００６２】
図１１に戻って、ＣＰＵ１２１は、ステップＳＴ５の処理の後、ステップＳＴ６の処理に移る。このステップＳＴ６において、ＣＰＵ１２１は、電力供給部１２４から、接続先機器（外部機器）である電子機器１００Ｂに、電力を供給することを開始する。この場合の電力は、ステップＳＴ６で決定された供給電力と等しくなるように制御される。
【００６３】
次に、ＣＰＵ１２１は、ステップＳＴ７において、接続先機器（外部機器）である電子機器１００Ｂへの給電が不要となったか否かを判断する。例えば、ＣＰＵ１２１は、通信部１２３が電子機器１００Ｂから給電不要情報を受信したとき、電子機器１００Ｂへの給電が不要となったと判断する。電子機器１００Ｂへの給電が不要となったと判断するとき、ＣＰＵ１２１は、ステップＳＴ１８において、電子機器１００Ｂへの電力供給を停止し、一連の給電処理を終了する。
【００６４】
［ディスクプレーヤの構成例］
図１３は、電子機器１００Ａの具体例としてのディスクプレーヤ１１の構成例を示している。この図１３において、図７と対応する部分には同一符号を付し、適宜、その詳細説明は省略する。
【００６５】
このディスクプレーヤ１１は、レセプタクル１０１と、通信部１２２と、電源部１２３と、電力供給部１２４と、ケーブル識別部１２５を有している。レセプタクル１０１には、“構成１（図３参照）”あるいは“構成２（図５参照）”のインタフェースケーブル２００のプラグ２０１が接続される。このディスクプレーヤ１１は、インタフェースケーブル２００を通じて、外部機器、例えば後述するポータブル画像表示装置１２に接続される。
【００６６】
また、このディスクプレーヤ１１は、ＣＰＵ（Central Processing Unit）１２１と、内部バス４０５と、フラッシュＲＯＭ（Read Only Memory）４０６と、ＳＤＲＡＭ（Synchronous Random Access Memory）４０７と、リモコン受信部４０８と、リモコン送信機４０９を有している。
【００６７】
また、ディスクプレーヤ１１は、ＳＡＴＡ（Serial Advanced Technology Attachment）インタフェース４１０と、ＢＤ(Blu-Ray Disc)ドライブ４１１と、イーサネットインタフェース（Ethernet I/F）４１２と、ネットワーク端子４１３を有している。また、ディスクプレーヤ１１は、ＭＰＥＧ(Moving Picture Expert Group)デコーダ４１５と、グラフィック生成回路４１６と、映像出力端子４１７と、音声出力端子４１８を有している。
【００６８】
また、ディスクプレーヤ１１は、表示制御部４２１と、パネル駆動回路４２２と、表示パネル４２３を有している。なお、「イーサネット」および「Ｅｔｈｅｒｎｅｔ」は登録商標である。ＣＰＵ１２１、フラッシュＲＯＭ４０６、ＳＤＲＡＭ４０７、ＳＡＴＡインタフェース４１０、イーサネットインタフェース４１２、ＭＰＥＧデコーダ４１５および表示制御部４２１は、内部バス４０５に接続されている。
【００６９】
ＣＰＵ１２１は、ディスクプレーヤ１１の各部の動作を制御する。フラッシュＲＯＭ４０６は、制御ソフトウェアの格納およびデータの保管を行う。ＳＤＲＡＭ４０７は、ＣＰＵ１２１のワークエリアを構成する。ＣＰＵ１２１は、フラッシュＲＯＭ４０６から読み出したソフトウェアやデータをＳＤＲＡＭ４０７上に展開してソフトウェアを起動させ、ディスクプレーヤ１１の各部を制御する。
【００７０】
リモコン受信部４０８は、リモコン送信機４０９から送信されたリモーコントロール信号（リモコンコード）を受信し、ＣＰＵ１２１に供給する。ＣＰＵ１２１は、リモコンコードに従ってディスクプレーヤ１１の各部を制御する。なお、図示の例では、ユーザ指示入力部としてリモートコントロール部を示しているが、ユーザ指示入力部は、その他の構成、例えば、スイッチ、ホイール、近接/タッチにより指示入力を行うタッチパネル部、マウス、キーボード、カメラで指示入力を検出するジェスチャ入力部、音声により指示入力を行う音声入力部などであってもよい。
【００７１】
通信部１２２は、コネクト部１１５を通じて、外部機器と通信をする。この場合、外部機器に、画像（ビデオ）データ、音声（オーディオ）データなどのメディアデータを送信する。また、外部機器との間で種々の情報の通信をする。この場合、ＣＰＵ１２１から発生される情報を外部機器に送信し、また、外部機器から受信される情報をＣＰＵ１２１に供給する。外部機器から受信される情報には、給電要求情報や必要電力情報なども含まれる。
【００７２】
ケーブル識別部１２５は、レセプタクル１０１に配設されている電気端子セット１１２，１１３の第２の電気端子１１４ｂから得られる信号に基づいて、レセプタクル１０１にインタフェースケーブル２００が接続されているか否か、さらに、接続されている場合には、そのインタフェースケーブル２００の構成を識別し、その結果をＣＰＵ１２１に送る。
【００７３】
この場合、レセプタクル１０１にインタフェースケーブル２００が接続されていないときは、電気端子セット１１２の電気端子１１４ｂと電気端子セット１１３の電気端子１１４のいずれからも電流は検出されないので、インタフェースケーブル２００の接続されていないとの識別が可能となる。
【００７４】
また、この場合、レセプタクル１０１に“構成１（図３参照）”のインタフェースケーブル２００が接続されているときは、電気端子セット１１２の電気端子１１４ｂまたは電気端子セット１１３の電気端子１１４ｂから電流が検出されるので、“構成１”のインタフェースケーブル２００が接続されているとの識別、さらには、電気端子セット１１２および電気端子セット１１３のいずれの電気端子１１４ａに電力を供給すべきかの識別が可能となる。
【００７５】
また、この場合、レセプタクル１０１に“構成２（図５参照）”のインタフェースケーブル２００が接続されているときは、電気端子セット１１２の電気端子１１４ｂと電気端子セット１１３の電気端子１１４の双方から電流が検出されるので、“構成２”のインタフェースケーブル２００が接続されており、電気端子セット１１２および電気端子セット１１３の双方の電気端子１１４ａから電力を供給し得るとの識別が可能となる。
【００７６】
電源部１２３は、例えばＡＣ電源であり、ディスクプレーヤ１１の各部に電源を供給する。電力供給部１２４は、ＣＰＵ１２１の制御のもと、電気端子セット１１２の電気端子１１４ａおよび電気端子セット１１３の電気端子１１４ａのいずれかまたは双方に、所定の電圧・電流を加え、外部機器に電力供給をする。
【００７７】
ここで、ＣＰＵ１２１は、外部機器から給電要求があったとき、この外部機器に電力を供給する。また、ＣＰＵ１２１は、レセプタクル１０１に接続されているインタフェースケーブル２００の構成および電子機器１００Ｂから送られてくる必要電力情報に基づいて供給電力を決定し、その電力が外部機器に供給されるように電力供給部１２４を制御する。
【００７８】
ＢＤドライブ４１１は、ディスク状記録メディアとしてのＢＤディスク（図示せず）に対して、コンテンツデータを記録し、あるいは、このＢＤからコンテンツデータを再生する。このＢＤドライブ４１１は、ＳＡＴＡインタフェース４１０を介して内部バス４０５に接続されている。ＭＰＥＧデコーダ４１５は、ＢＤドライブ４１１で再生されたＭＰＥＧ２ストリームに対してデコード処理を行って画像および音声のデータを得る。
【００７９】
ディスクプレーヤ１１から外部機器に画像（ビデオ）および音声（オーディオ）のデータを送信する場合、ＭＰＥＧデコーダ４１５から通信部１２２に画像および音声のデータが供給される。この場合、画像および音声のデータは圧縮データ、非圧縮データのいずれであってもよい。
【００８０】
グラフィック生成回路４１６は、ＭＰＥＧデコーダ４１５で得られた画像データに対して、必要に応じてグラフィックスデータの重畳処理等を行う。映像出力端子４１７は、グラフィック生成回路４１６から出力される画像データを出力する。音声出力端子４１８は、ＭＰＥＧデコーダ４１５で得られた音声データを出力する。
【００８１】
パネル駆動回路４２２は、グラフィック生成回路４１６から出力される映像（画像）データに基づいて、表示パネル４２３を駆動する。表示制御部４２１は、グラフィクス生成回路４１６やパネル駆動回路４２２を制御して、表示パネル４２３における表示を制御する。表示パネル４２３は、例えば、ＬＣＤ(Liquid Crystal Display)、ＰＤＰ(Plasma Display Panel)、有機ＥＬ（Organic Electro-Luminescence）パネル等で構成されている。
【００８２】
なお、図示の例では、ＣＰＵ４０４の他に表示制御部４２１を有しているが、表示パネル４２３における表示をＣＰＵ４０４が直接制御するようにしてもよい。また、ＣＰＵ４０４と表示制御部４２１は、１つのチップになっていても、複数コアであってもよい。
【００８３】
図１３に示すディスクプレーヤ１１の動作を簡単に説明する。記録時には、図示されないデジタルチューナを介して、あるいはネットワーク端子４１３からイーサネットインタフェース４１２を介して、記録すべきコンテンツデータが取得される。このコンテンツデータは、ＳＡＴＡインタフェース４１０に入力され、ＢＤドライブ４１１によりＢＤに記録される。場合によっては、このコンテンツデータは、ＳＡＴＡインタフェース４１０に接続された、図示されないＨＤＤ（ハードディスクドライブ）に記録されてもよい。
【００８４】
再生時には、ＢＤドライブ４１１によりＢＤから再生されたコンテンツデータ（ＭＰＥＧストリーム）は、ＳＡＴＡインタフェース４１０を介してＭＰＥＧデコーダ４１５に供給される。ＭＰＥＧデコーダ４１５では、再生されたコンテンツデータに対してデコード処理が行われ、非圧縮の画像および音声のデータが得られる。画像データは、グラフィック生成回路４１６を通じて映像出力端子４１７に出力される。また、音声データは、音声出力端子４１８に出力される。
【００８５】
また、再生時には、ＭＰＥＧデコーダ４１５で得られた画像データが、ユーザ操作に応じて、グラフィック生成回路４１６を通じてパネル駆動回路４２２に供給され、表示パネル４２３に再生画像が表示される。また、ＭＰＥＧデコーダ４１５で得られた音声データが、ユーザ操作に応じて、図示しないスピーカに供給され、再生画像に対応した音声が出力される。
【００８６】
また、この再生時に、ディスクプレーヤ１１から外部機器に画像（ビデオ）および音声（オーディオ）のデータを送信する場合、ＭＰＥＧデコーダ４１５から通信部１２２に画像および音声のデータ（非圧縮データあるいは非圧縮データ）が供給され、外部機器に送信される。
【００８７】
なお、再生時に、ＢＤドライブ４１１で再生されたコンテンツデータをネットワークに送出する際には、このコンテンツデータは、イーサネットインタフェース４１２を介して、ネットワーク端子４１３に出力される。ここで、画像データを出力する前に、著作権保護技術、例えばＨＤＣＰ、ＤＴＣＰ、ＤＴＣＰ＋などを用いて暗号化してから伝送（送信）してもよい。
【００８８】
［ポータブル画像表示装置の構成例］
図１４は、電子機器１００Ｂとしてのポータブル画像表示装置１２の構成例を示している。この図１４において、図８と対応する部分には同一符号を付し、適宜、その詳細説明は省略する。
【００８９】
このポータブル画像表示装置１２は、レセプタクル１０１と、通信部１３２と、バッテリ１３３と、電力受給部１３４と、電流出力部１３５を有している。レセプタクル１０１には、“構成１（図３参照）”あるいは“構成２（図５参照）”のインタフェースケーブル２００のプラグ２０１が接続される。このポータブル画像表示装置１２は、インタフェースケーブル２００を通じて、外部機器、例えば上述したディスクプレーヤ１１と接続される。
【００９０】
また、このポータブル画像表示装置１２は、アンテナ端子５０５と、デジタルチューナ５０６と、ＭＰＥＧデコーダ５０７と、映像信号処理回路５０８と、グラフィック生成回路５０９と、パネル駆動回路５１０と、表示パネル５１１を有している。
【００９１】
また、このポータブル画像表示装置１２は、音声信号処理回路５１２と、音声増幅回路５１３と、スピーカ５１４と、内部バス５２０と、ＣＰＵ１３１と、フラッシュＲＯＭ５２２と、ＳＤＲＡＭ（Synchronous Random Access Memory）５２３を有している。
【００９２】
また、このポータブル画像表示装置１２は、イーサネットインタフェース（Ethernet I/F）５２４と、ネットワーク端子５２５と、リモコン受信部５２６と、リモコン送信機５２７を有している。また、このポータブル画像表示装置１２は、表示制御部５３１を有している。なお、「イーサネット」および「Ｅｔｈｅｒｎｅｔ」は登録商標である。ＣＰＵ１３１、フラッシュＲＯＭ５２２、ＳＤＲＡＭ５２３、イーサネットインタフェース５２４、ＭＰＥＧデコーダ５０７および表示制御部５３１は、内部バス５２０に接続されている。
【００９３】
ＣＰＵ１３１は、ポータブル画像表示装置１２の各部の動作を制御する。フラッシュＲＯＭ５２２は、制御ソフトウェアの格納およびデータの保管を行う。ＳＤＲＡＭ５２３は、ＣＰＵ１３１のワークエリアを構成する。ＣＰＵ１３１は、フラッシュＲＯＭ５２２から読み出したソフトウェアやデータをＳＤＲＡＭ５２３上に展開してソフトウェアを起動させ、ポータブル画像表示装置１２の各部を制御する。
【００９４】
リモコン受信部５２６は、リモコン送信機５２７から送信されたリモーコントロール信号（リモコンコード）を受信し、ＣＰＵ１３１に供給する。ＣＰＵ１３１は、このリモコンコードに基づいて、ポータブル画像表示装置１２の各部を制御する。なお、図示の例では、ユーザ指示入力部としてリモートコントロール部を示しているが、ユーザ指示入力部は、その他の構成、例えば、近接/タッチにより指示入力を行うタッチパネル部、マウス、キーボード、カメラで指示入力を検出するジェスチャ入力部、音声により指示入力を行う音声入力部などであってもよい。
【００９５】
通信部１３２は、コネクト部１１５を通じて、外部機器と通信をする。この場合、外部機器から、画像（ビデオ）データ、音声（オーディオ）データなどのメディアデータを受信する。また、外部機器との間で種々の情報の通信をする。この場合、ＣＰＵ１３１から発生される情報を外部機器に送信し、また、外部機器から受信される情報をＣＰＵ１３１に供給する。外部機器に送信する情報には、給電要求情報や必要電力情報なども含まれる。
【００９６】
電流出力部１３５は、レセプタクル１０１に配設されている電気端子セット１１２，１１３の第２の電気端子１１４ｂに電流を出力する。これにより、外部機器において、レセプタクル１０１にインタフェースケーブル２００が接続されているか否か、さらに、接続されている場合には、そのインタフェースケーブル２００の構成を識別が可能となる。
【００９７】
バッテリ１３３は、ポータブル画像表示装置１２の各部に電源を供給する。ＣＰＵ１３１は、このバッテリ１３３の充電量をチェックし、充電が必要と判断するときは、必要電力、つまり外部機器から供給して貰うべき電力を決定し、給電要求情報や必要電力情報を通信部１３２から外部機器に送信する。
【００９８】
電力受給部１３４は、電気端子セット１１２の電気端子１１４ｂおよび電気端子セット１１３の電気端子１１４ｂのいずれかまたは双方に得られる電流・電圧、つまり電力を取り込み、バッテリ１３３を充電する。ＣＰＵ１３１は、バッテリ１３３が十分に充電されたとき、給電不要情報を通信部１３２から外部機器に送信する。
【００９９】
アンテナ端子５０５は、受信アンテナ（図示せず）で受信されたテレビ放送信号を入力する端子である。デジタルチューナ５０６は、アンテナ端子５０５に入力されたテレビ放送信号を処理して、ユーザの選択チャネルに対応した所定のトランスポートストリームから、パーシャルＴＳ（Transport Stream）（映像データのＴＳパケット、音声データのＴＳパケット）を抽出する。
【０１００】
また、デジタルチューナ５０６は、得られたトランスポートストリームから、ＰＳＩ／ＳＩ（Program Specific Information／Service Information）を取り出し、ＣＰＵ５２１に出力する。デジタルチューナ５０６で得られた複数のトランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【０１０１】
ＭＰＥＧデコーダ５０７は、デジタルチューナ５０６で得られる映像データのＴＳパケットにより構成される映像ＰＥＳ（Packetized Elementary Stream）パケットに対してデコード処理を行って画像データを得る。また、ＭＰＥＧデコーダ５０７は、デジタルチューナ５０６で得られる音声データのＴＳパケットにより構成される音声ＰＥＳパケットに対してデコード処理を行って音声データを得る。また、ＭＰＥＧデコーダ５０７は、ネットワーク端子５２５からイーサネットインタフェース５２４を介して供給されるコンテンツデータ（画像データ、音声データ）に対してデコード処理を行って画像および音声のデータを得る。
【０１０２】
映像信号処理回路５０８およびグラフィック生成回路５０９は、ＭＰＥＧデコーダ５０７で得られた画像（ビデオ）データ、あるいは通信部１３２で受信された画像（ビデオ）データに対して、必要に応じてスケーリング処理（解像度変換処理）、グラフィックスデータの重畳処理等を行う。
【０１０３】
パネル駆動回路５１０は、グラフィック生成回路５０９から出力される映像（画像）データに基づいて、表示パネル５１１を駆動する。表示制御部５３１は、グラフィクス生成回路５０９やパネル駆動回路５１０を制御して、表示パネル５１１における表示を制御する。表示パネル５１１は、例えば、ＬＣＤ(Liquid Crystal Display)、ＰＤＰ(Plasma Display Panel)、有機ＥＬ（Organic Electro-Luminescence）パネル等で構成されている。
【０１０４】
なお、図示の例では、ＣＰＵ１３１の他に表示制御部５３１を有する例を示しているが、表示パネル５１１における表示をＣＰＵ１３１が直接制御するようにしてもよい。また、ＣＰＵ１３１と表示制御部５３１は、１つのチップになっていても、複数コアであってもよい。
【０１０５】
音声信号処理回路５１２はＭＰＥＧデコーダ５０７で得られた音声（オーディオ）データ、あるいは通信部１３２で受信された音声（オーディオ）データに対してＤ／Ａ変換等の必要な処理を行う。音声増幅回路５１３は、音声信号処理回路５１２から出力される音声信号を増幅してスピーカ５１４に供給する。
【０１０６】
なお、スピーカ５１４は、モノラルでもステレオでもよい。また、スピーカ５１４は、１つでもよく、２つ以上でもよい。また、スピーカ５１４は、イヤホン、ヘッドホンでもよい。また、スピーカ５１４は、２．１チャネルや、５．１チャネルなどに対応するものであってもよい。また、スピーカ５１４は、ポータブル画像表示装置１２と無線で接続してもよい。また、スピーカ５１４は、他機器であってもよい。
【０１０７】
なお、例えば、受信されたコンテンツデータをネットワークに送出する際には、このコンテンツデータは、イーサネットインタフェース５２４を介して、ネットワーク端子５２５に出力される。ここで、画像データを出力する前に、著作権保護技術、例えばＨＤＣＰ、ＤＴＣＰ、ＤＴＣＰ＋などを用いて暗号化してから伝送してもよい。
【０１０８】
図１４に示すポータブル画像表示装置１２の動作を簡単に説明する。アンテナ端子５０５に入力されたテレビ放送信号はデジタルチューナ５０６に供給される。このデジタルチューナ５０６では、テレビ放送信号を処理して、ユーザの選択チャネルに対応した所定のトランスポートストリームが出力され、トランスポートストリームから、パーシャルＴＳ（映像データのＴＳパケット、音声データのＴＳパケット）が抽出され、当該パーシャルＴＳはＭＰＥＧデコーダ５０７に供給される。
【０１０９】
ＭＰＥＧデコーダ５０７では、映像データのＴＳパケットにより構成される映像ＰＥＳパケットに対してデコード処理が行われて画像データが得られる。この画像データは、映像信号処理回路５０８およびグラフィック生成回路５０９において、必要に応じて、スケーリング処理（解像度変換処理）、グラフィックスデータの重畳処理等が行われた後に、パネル駆動回路５１０に供給される。そのため、表示パネル５１１には、ユーザの選択チャネルに対応した画像が表示される。
【０１１０】
また、ＭＰＥＧデコーダ５０７では、音声データのＴＳパケットにより構成される音声ＰＥＳパケットに対してデコード処理が行われて音声データが得られる。この音声データは、音声信号処理回路５１２でＤ／Ａ変換等の必要な処理が行われ、さらに、音声増幅回路５１３で増幅された後に、スピーカ５１４に供給される。そのため、スピーカ５１４から、ユーザの選択チャネルに対応した音声が出力される。
【０１１１】
また、ネットワーク端子５２５からイーサネットインタフェース５２４に供給されるコンテンツデータ（画像データ、音声データ）は、ＭＰＥＧデコーダ５０７に供給される。以降は、上述したテレビ放送信号の受信時と同様の動作となり、表示パネル５１１に画像が表示され、スピーカ５１４から音声が出力される。
【０１１２】
また、ポータブル画像表示装置１２が外部機器から画像（ビデオ）および音声（オーディオ）のデータを受信する場合、通信部１３２で受信された画像および音声のデータは、それぞれ映像信号処理回路５０８および音声信号処理回路５１２に供給される。以降は、上述したテレビ放送信号の受信時と同様の動作となり、表示パネル５１１に画像が表示され、スピーカ５１４から音声が出力される。
【０１１３】
上述したように、図１に示すＡＶ伝送システム１０において、電子機器１００Ａは、２つの電気端子セット１１２，１１３の第２の電気端子１１４ｂから得られる信号に基づいてレセプタクル１０１に接続されたインタフェースケーブル２００の構成を識別し、その識別結果に応じて２つの電気端子セット１１２，１１３の一方または双方の第１の電気端子１１４ａを通じて電子機器１００Ｂに電力を供給する。そのため、電子機器１００Ａから電子機器１００Ｂへの電力供給をインタフェースケーブル２００の構成に応じて良好に行い得る。
【０１１４】
また、図１に示すＡＶ伝送システム１０において、電子機器１００Ａ、１００Ｂのレセプタクル１０１には、矩形状の開口部１１１の対向する２つの面に、それぞれ、電気端子セット１１２，１１３が、第１から第３の電気端子１１４ａ〜１１４ｃの並びが点対称となるように配設されている。そのため、インタフェースケーブル２００のリバーシブル接続が可能となり、ユーザの使い勝手が向上する。
【０１１５】
また、図１に示すＡＶ伝送システム１０において、インタフェースケーブル２００は、プラグ２０１に一つまたは２つの電気端子セットが配設され、各電気端子セットが第１から第３の電気端子２１３からなるものである。そのため、電子機器では、インタフェースケーブル２００の構成を容易に識別できる。また、プラグに構成識別のための回路やチップを埋め込むものではなく、プラグが大きくなる、コストが上がるなどの問題もない。
【０１１６】
＜２．変形例＞
なお、上述実施の形態においては、電子機器１００Ａ，１００Ｂのレセプタクル１０１の開口部１１１の対向する２つの面にそれぞれ電気端子セット１１２，１１３を配設する例を示した。しかし、対向する２つの面は図２に示すような上下の対向する面だけでなく、左右の対向する面であってもよい。また、これら２つの電気端子セット１１２，１１３を配設する面は必ずしも対向している必要はなく、例えばこれら２つの電気端子セット１１２，１１３を同一の面に並べて配設することも考えられる。また、レセプタクル１０１に配設する電気端子セットの個数は２つに限定されるものではなく、３つ以上とすることも考えらえる。
【０１１７】
また、上述実施の形態においては、電子機器１００Ａが電力供給専用で、電子機器１００Ｂが電力受給専用である例を示したが、電力の受供給ができる機器構成も可能であることは勿論である。
【０１１８】
また、本技術は、以下のような構成をとることもできる。
（１）複数の電気端子セットが配設されたレセプタクルを備え、
上記電気端子セットは、電力用の第１の電気端子、検出用の第２の電気端子および接地用の第３の電気端子からなり、
上記複数の電気端子セットの上記第２の電気端子から得られる信号に基づいて上記レセプタクルに接続されたインタフェースケーブルの構成を識別するケーブル識別部と、
上記識別されたケーブル構成に応じて上記複数の電気端子セットの一部または全部の電気端子セットの上記第１の電気端子を通じて外部機器に電力を供給する電力供給部をさらに備える
電子機器。
（２）上記レセプタクルには、所定形状の開口面を持つ開口部の対向する２つの面に、それぞれ、上記電気端子セットが、第１から第３の電気端子の並びが点対称となるように配設されている
前記（１）に記載の電子機器。
（３）上記レセプタクルには、外部機器との通信用のコネクト部がさらに配設されており、
上記コネクト部を通じて上記外部機器から受信された必要電力情報と、上記識別されたケーブル構成に基づいて、供給電力を決定する給電量決定部をさらに備え、
上記電力供給部は、上記決定された供給電力を、上記外部機器に供給する
前記（１）または（２）に記載の電子機器。
（４）複数の電気端子セットが配設されたレセプタクルを備える電子機器の電力供給方法であって、
上記電気端子セットは、電力用の第１の電気端子、検出用の第２の電気端子および接地用の第３の電気端子からなり、
上記複数の電気端子セットの上記第２の電気端子から得られる信号に基づいて上記レセプタクルに接続されたインタフェースケーブルの構成を識別し、
上記識別されたケーブル構成に応じて上記複数の電気端子セットの一部または全部の電気端子セットの上記第１の電気端子を通じて外部機器に電力を供給する
電子機器の電力供給方法。
（５）複数の電気端子セットが配設されたレセプタクルを備え、
上記電気端子セットは、電力用の第１の電気端子、検出用の第２の電気端子および接地用の第３の電気端子からなり、
上記複数の電気端子セットの上記第１の電気端子に電流を出力する電流出力部と、
上記複数の電気端子セットの一部または全部の電気端子セットの上記第２の電気端子に上記レセプタクルに接続されたインタフェースケーブルを通じて外部機器から供給される電力を受け取る電力受給部をさらに備える
電子機器。
（６）上記レセプタクルには、所定形状の開口面を持つ開口部の対向する２つの面に、それぞれ、上記電気端子セットが、第１から第３の電気端子の並びが点対称となるように配設されている
前記（５）に記載の電子機器。
（７）上記レセプタクルには、外部機器との通信用のコネクト部がさらに配設されており、
上記コネクト部を通じて上記外部機器に必要電力情報を送信する通信部をさらに備える
前記（５）または（６）に記載の電子機器。
（８）上記電力受給部で受け取った電力を蓄えるバッテリと、
上記バッテリの充電量に基づいて必要電力を決定する受電量決定部をさらに備え、
上記通信部は、上記決定された必要電力の情報を上部外部機器に送信する
前記（７）に記載の電子機器。
（９）複数の電気端子セットが配設されたレセプタクルを備える電子機器の電力受給方法であって、
上記電気端子セットは、電力用の第１の電気端子、検出用の第２の電気端子および接地用の第３の電気端子からなり、
上記複数の電気端子セットの上記第２の電気端子に電流を出力し、
上記複数の電気端子セットの一部または全部の電気端子セットの上記第１の電気端子に上記レセプタクルに接続されたインタフェースケーブルを通じて外部機器から供給される電力を受け取る
電子機器の電力受給方法。
（１０）一つまたは複数の電気端子セットが配設されたプラグを備え、
上記電気端子セットは、第１から第３の３つの電気端子からなる
インタフェースケーブル。
（１１）上記プラグには、電子機器のレセプタクルの所定形状の開口面を持つ開口部に挿入される対応した形状の挿入面を持つ挿入部の、上記開口部の一つの面に対応した面に上記電気端子セットが配設されている
前記（１０）に記載のインタフェースケーブル。
（１２）上記プラグには、電子機器のレセプタクルの所定形状の開口面を持つ開口部に挿入される対応した形状の挿入面を持つ挿入部の、上記開口部の対向する２つの面に対応した２つの面に、それぞれ、上記電気端子セットが配設されている
前記（１０）に記載のインタフェースケーブル。
【符号の説明】
【０１１９】
１０・・・ＡＶ伝送システム
１１・・・ディスクプレーヤ
１２・・・ポータブル表示装置
１００Ａ，１００Ｂ・・・電子機器
１０１・・・レセプタクル
１１１・・・開口部
１１２，１１３・・・電気端子セット
１１４ａ・・・第１の電気端子
１１４ｂ・・・第２の電気端子
１１４ｃ・・・第３の電気端子
１１５・・・通信用のコネクト部
１２１・・・ＣＰＵ
１２２・・・通信部
１２３・・・電源部
１２４・・・電力供給部
１２５・・・ケーブル識別部
１３１・・・ＣＰＵ
１３２・・・通信部
１３３・・・バッテリ
１３４・・・電力受給部
１３５・・・電流出力部
２００・・・インタフェースケーブル
２０１・・・プラグ
２１１・・・挿入部
２１２，２１６・・・電気端子セット
２１３・・・電気端子
２１４・・・通信用のコネクト部
２１５・・・メタルワイヤ
４０５・・・内部バス
４０６・・・フラッシュＲＯＭ
４０７・・・ＳＤＲＡＭ
４０８・・・リモコン受信部
４０９・・・リモコン送信機
４１０・・・ＳＡＴＡインタフェース
４１１・・・ＢＤドライブ
４１２・・・イーサネットインタフェース
４１３・・・ネットワーク端子
４１５・・・ＭＰＥＧデコーダ
４１６・・・グラフィック生成回路
４１７・・・映像出力端子
４１８・・・音声出力端子
４２１・・・表示制御部
４２２・・・パネル駆動回路
４２３・・・表示パネル
５０５・・・アンテナ端子
５０６・・・デジタルチューナ
５０７・・・ＭＰＥＧデコーダ
５０８・・・映像信号処理回路
５０９・・・グラフィック生成回路
５１０・・・パネル駆動回路
５１１・・・表示パネル
５１２・・・音声信号処理回路
５１３・・・音声増幅回路
５１４・・・スピーカ
５２０・・・内部バス
５２２・・・フラッシュＲＯＭ
５２３・・・ＳＤＲＡＭ
５２４・・・イーサネットインタフェース
５２５・・・ネットワーク端子
５２６・・・リモコン受信部
５２７・・・リモコン送信機
５３１・・・表示制御部
【図１】
2017187976.tif 000003
【図２】
2017187976.tif 000004
【図３】
2017187976.tif 000005
【図４】
2017187976.tif 000006
【図５】
2017187976.tif 000007
【図６】
2017187976.tif 000008
【図７】
2017187976.tif 000009
【図８】
2017187976.tif 000010
【図９】
2017187976.tif 000011
【図１０】
2017187976.tif 000012
【図１１】
2017187976.tif 000013
【図１２】
2017187976.tif 000014
【図１３】
2017187976.tif 000015
【図１４】
2017187976.tif 000016
【国際調査報告】
2017187976.tif 000017
2017187976.tif 000018
2017187976.tif 000019
2017187976.tif 000020